(57)【特許請求の範囲】
【請求項１】
被施療部位に振動刺激を付与する運動体が突出した表面部を備えた本体と該本体内に前記運動体に振動を付与する振動発生源を備えたマッサージ装置において、
前記本体の裏面に一端が係止され、該本体と床面との間に介挿される脚部の振動伝達経路の一部に振動吸収用の弾性部を設け、
前記弾性部が、前記脚部を構成する材料と同一の材料によって構成され、
前記弾性部が、薄肉部によって構成され、
前記薄肉部の側壁に、複数の軸方向に延在する溝を形成した
ことを特徴とするマッサージ装置。
【請求項２】
請求項１において、
前記脚部に一定以上の荷重が作用して前記弾性部にその弾性変形範囲内の一定量以上の変形が生じたときに、前記本体の一部に当接してそれ以上の変形を阻止するストッパー部が前記脚部に形成されている
ことを特徴とするマッサージ装置。
【請求項３】
請求項１において、
前記弾性部が、前記本体に当接する前記脚部の上部に形成されている
ことを特徴とするマッサージ装置。
【請求項４】
請求項１において、
前記弾性部が、前記床面に当接する前記脚部の下部に形成されている
ことを特徴とするマッサージ装置。
【請求項５】
請求項１において、
前記弾性部が、前記脚部の中間部に形成されている
ことを特徴とするマッサージ装置。
【発明の詳細な説明】
【０００１】
【発明の属する技術分野】
本発明は、被施療部位に振動刺激を付与する運動体を表面部に備えた本体と該本体内に前記運動体に振動を付与する振動発生源を備えるとともに、前記本体と床面との間に介挿される脚部の振動伝達経路の一部に振動吸収用の弾性部を設けたマッサージ装置に関するものである。
【０００２】
【従来の技術】
従来のマッサージ装置においては、被施療部位に振動刺激を付与する運動体が突出した表面部を備えた本体と該本体内に前記運動体に振動を付与する振動発生源を備えた本体と床面との間にゴム製の脚部を介挿して、前記運動体および該運動体に振動を付与する振動発生源の振動を前記床面に伝達しないように構成されている。
【０００３】
【発明が解決しようとする課題】
上記従来のマッサージ装置は、前記振動発生源によって付与された前記運動体が振動するので、前記被施療部位である足が前記表面部に乗せられていない時や、前記足が前記表面部に乗せられていても前記運動体の振動反力によって前記足が浮き使用時の前記足の実質自重が低下した時に、マッサージ装置が振動反力によって浮き移動するという問題があった。
【０００４】
そこで本発明者は、被施療部位に振動刺激を付与する運動体を表面部に備えた本体と該本体内に前記運動体に振動を付与する振動発生源を備えたマッサージ装置において、前記本体の裏面に一端が係止され該本体と床面との間に介挿される脚部の振動伝達経路の一部に振動吸収用の弾性部を設けて、前記運動体および前記振動発生源による振動の前記床面への伝達を絶縁するという本発明の技術的思想に着眼し、更に研究開発を重ねた結果、前記運動体の振動反力によって前記足が浮き使用時の前記足の実質自重が低下した時に、マッサージ装置が振動反力によって浮き移動することを阻止するという目的を達成する本発明に到達した。
【０００６】
【課題を解決するための手段】
本発明（請求項１に記載の第１発明）のマッサージ装置は、
被施療部位に振動刺激を付与する運動体が突出した表面部を備えた本体と該本体内に前記運動体に振動を付与する振動発生源を備えたマッサージ装置において、
前記本体の裏面に一端が係止され、該本体と床面との間に介挿される脚部の振動伝達経路の一部に振動吸収用の弾性部を設け、
前記弾性部が、前記脚部を構成する材料と同一の材料によって構成され、
前記弾性部が、薄肉部によって構成され、
前記薄肉部の側壁に、複数の軸方向に延在する溝を形成した
ものである。
【０００７】
本発明（請求項２に記載の第２発明）のマッサージ装置は、
前記第１発明において、
前記脚部に一定以上の荷重が作用して前記弾性部にその弾性変形範囲内の一定量以上の変形が生じたときに、前記本体の一部に当接してそれ以上の変形を阻止するストッパー部が前記脚部に形成されている
ものである。
【００１２】
本発明（請求項３に記載の第３発明）のマッサージ装置は、
前記第１発明において、
前記弾性部が、前記本体に当接する前記脚部の上部に形成されている
ものである。
【００１３】
本発明（請求項４に記載の第４発明）のマッサージ装置は、
前記第１発明において、
前記弾性部が、前記床面に当接する前記脚部の下部に形成されている
ものである。
【００１４】
本発明（請求項５に記載の第５発明）のマッサージ装置は、
前記第１発明において、
前記弾性部が、前記脚部の中間部に形成されている
ものである。
【００１６】
【発明の作用および効果】
上記構成より成る第１発明のマッサージ装置は、被施療部位に振動刺激を付与する運動体が突出した表面部を備えた本体と該本体内に前記運動体に振動を付与する振動発生源を備えたマッサージ装置において、前記本体の前記裏面に一端が係止され該本体と床面との間に介挿される前記脚部の振動伝達経路の一部に設けられた振動吸収用の前記弾性部が、前記運動体および前記振動発生源による振動の前記床面への伝達を絶縁するので、前記運動体の振動反力によって前記足が浮き使用時の前記足の実質自重が低下した時に、マッサージ装置が振動反力によって浮き移動することを阻止するという効果を奏する。
上記構成より成る第１発明のマッサージ装置は、前記弾性部が、前記脚部を構成する材料と同一の材料によって構成されているので、一体成形を可能にして製造コストを低減するという効果を奏する。
上記構成より成る第１発明のマッサージ装置は、前記弾性部が、前記薄肉部によって構成されているので、該薄肉部が前記運動体および前記振動発生源による振動の前記床面への伝達を有効に絶縁して、前記マッサージ装置の移動を有効に阻止するという効果を奏する。
上記構成より成る第１発明のマッサージ装置は、前記薄肉部の側壁に、複数の軸方向に延在する溝を形成したので、前記薄肉部のダンピング特性をチューニングして前記運動体および前記振動発生源による振動の前記床面への伝達を一層有効に絶縁するという効果を奏する。
【００１７】
上記構成より成る第２発明のマッサージ装置は、前記第１発明において、前記脚部に形成された前記ストッパー部が、前記脚部に一定以上の荷重が作用して前記弾性部にその弾性変形範囲内の一定量以上の変形が生じたときに、前記本体の一部に当接してそれ以上の変形を阻止するので、前記弾性部の寿命を向上するという効果を奏する。
【００２２】
上記構成より成る第３発明のマッサージ装置は、前記第１発明において、
前記弾性部が、前記本体に当接する前記脚部の上部に形成されているので、前記運動体および前記振動発生源による振動を前記脚部への入力部において絶縁することが出来るという効果を奏する。
【００２３】
上記構成より成る第４発明のマッサージ装置は、前記第１発明において、前記弾性部が、前記床面に当接する前記脚部の下部に形成されているので、前記運動体および前記振動発生源による振動を前記床面への出力部において絶縁することが出来るという効果を奏する。
【００２４】
上記構成より成る第５発明のマッサージ装置は、前記第１発明において、
前記弾性部が、前記脚部の中間部に形成されているので、前記運動体および前記振動発生源による振動を前記脚部の中間部において絶縁することが出来るという効果を奏する。
【００２５】
【発明の実施の形態】
以下本発明の実施の形態につき、図面を用いて説明する。
【００２６】
（第１実施形態）
本第１実施形態のマッサージ装置は、図１ないし図６に示されるように被施療部位に振動刺激を付与する運動体が突出した表面部１１を備えた本体１０と該本体内に前記運動体に振動を付与する振動発生源を備えたマッサージ装置１において、前記本体１０の裏面１２に一端が係止され、該本体１０と床面１００との間に介挿される脚部５の振動伝達経路の一部に振動吸収用の弾性部６を設けたものである。
【００２７】
前記マッサージ装置１を構成する本体１０は、図３および図４に示されるように被施療部位である両足裏の土踏まずの部位に対して振動刺激を付与する運動体を構成する膨出部が突出した傾斜面より成る上面たる表面部１１と、４隅に脚部５が突設された平坦な下面たる裏面１２と、前記表面部１１と裏面１２とを接続する側面１３とから成る。
【００２８】
前記本体１０内には、前記表面部１１の左右位置に穿設された多数の貫通穴１４より突出した左右一対の複数の突起１５より成る前記膨出部を備えた前記運動体が支持手段によって弾性的に支持されるとともに、前記運動体に上下振動を付与するモータおよびアンバランサーより成る振動発生源（図示せず）が配設されている。
【００２９】
また前記表面部の左右位置に多数の前記貫通穴１４が穿設され、前記左右一対の複数の前記突起１５が突出する部位に電極１６が配設され、低周波発生回路（図示せず）から通電がなされたときに前記被施療部位に対して、低周波による通電刺激を付与するように構成されている。
【００３０】
図１および図２に示されるように前記本体１０の前記裏面１２の４隅に一体的に形成された凹部１２１に平坦な座面１２２が形成され、該座面１２２の中央部に大径のベース部１２３と抜け止め用のワッシャＷおよびビスＢを取り付ける位置決め用リブ１２５を備えた円筒状のボス部１２４が斜め下方に突出形成される。
【００３１】
前記脚部５は、ＥＰＤＭ、ＮＢＲその他の硬度４０°から７０°までのゴム製の略円錐台状の中空部材５０によって構成され、内周壁の上部には斜めに突出形成された前記ボス部が介挿されるＶ字状の縦断面形状の充分大きな口径の長穴の鍵穴形状の穴部５１が形成されるとともに、内周壁の下部には外周壁と同軸的な大径の円形穴部５２が形成されている。
【００３２】
前記脚部５は、図１および図２に示されるようにその環状の下端面には前記床面のグリップ性能を高め柔らかくするために深さの異なる３条の環状溝が形成されている。
【００３３】
前記弾性部６は、前記本体１０に当接する前記脚部５の上部に該脚部を構成する材料と同一の材料によって一体的に形成されるとともに、上方に突出形成された筒状の薄肉部６０によって構成され、前記座面の傾斜に対応した傾斜上端面６１が形成されている。
【００３４】
前記筒状の薄肉部６０の内側壁に、一定角度毎に軸方向に延在する複数の溝６２が形成され、前記弾性部６のダンピング特性をチューニングするとともに、中央部が外方に突出した縦断面くの字形状に形成され前記本体１０から荷重が作用した時に外方に突出する変形形状を採り得るように構成されているものである。
【００３５】
前記筒状の薄肉部６０より成る前記弾性部６の前記傾斜上端面６１を傾斜した前記座面１２２に当接させて、前記長円形の穴部５１と前記大径の円形穴部５２の間の肩部５３に抜け止め用のワッシャＷおよびビスＢを螺着して、前記脚部５を前記本体１０に係止する。
【００３６】
前記本体１０の前記座面１２２に突出形成されたベース部１２３の下端面１２６と前記脚部５の上端面５４とによってストッパー部が構成され、前記脚部５に一定以上の荷重が作用して前記弾性部６にその弾性変形範囲内の一定量以上の変形が生じたときに、前記座面１２２の前記ベース部１２３の下端面１２６と前記脚部５の上端面５４とが当接して、それ以上の変形を阻止するように構成されている。
【００３７】
上記構成より成る第１実施形態のマッサージ装置は、前記リモコン２による利用者の設定に従って、前記本体１０の前記表面部１１に突出した前記複数の突起１５によって被施療部位である両足裏の土踏まずの部位に振動刺激を付与するとともに、前記電極１６によって低周波発生回路（図示せず）からの通電により前記被施療部位に対して、低周波による通電刺激を付与するものである。
【００３８】
前記本体１０の下面に一端が係止され該本体１０と前記床面１００との間に介挿される前記脚部５の振動伝達経路の一部に設けられた振動吸収用の前記弾性部６が、前記運動体および前記振動発生源による振動の前記床面１００への伝達を絶縁する。
【００３９】
すなわち前記弾性部６を構成する前記本体１０に当接する前記脚部５の上部に該脚部を構成する材料と同一の材料によって一体的に上方に突出形成されている前記筒状の薄肉部６０は、その内側壁に一定角度毎に軸方向に延在する複数の溝６２が形成され、前記弾性部６のダンピング特性がチューニングされているとともに、中央部が外方に突出した縦断面くの字形状に形成され、前記本体１０から荷重が作用した時に外方に突出する変形形状を採り得るように構成されているので、図１および図６に示されるように前記筒状の薄肉部６０のダンピング特性によって前記運動体および前記振動発生源による振動が前記脚部５の入口部において絶縁され、前記床面１００への伝達を絶縁するものである。
【００４０】
上記作用を奏する第１実施形態のマッサージ装置は、前記弾性部６を構成する前記筒状の薄肉部６０によって、前記運動体および前記振動発生源による振動が前記脚部５の入口部において絶縁されるので、マッサージ装置の振動反力を低減して、前記運動体の振動反力によって前記足が浮き使用時の前記足の実質自重が低下した時に、マッサージ装置の振動反力によって浮き移動することを阻止するという効果を奏する。
【００４１】
また第１実施形態のマッサージ装置は、前記弾性部６を構成する前記筒状の薄肉部６０が、前記本体１０に当接する前記脚部５の前記上端に形成されているので、前記運動体および前記振動発生源による振動を前記脚部５への入力部において未然に絶縁することが出来るという効果を奏する。
【００４２】
さらに第１実施形態のマッサージ装置は、前記脚部５に形成された前記ストッパー部を構成する前記上端面５４が、前記脚部５に一定以上の荷重が作用して前記弾性部６０にその弾性変形範囲内の一定量以上の変形が生じたときに、図２および図７に示されるように前記本体１０の前記ベース部１２３の下端面１２６に当接して前記弾性部６０のそれ以上の変形を阻止するので、前記弾性部６の寿命を向上するという効果を奏する。
【００４３】
また第１実施形態のマッサージ装置は、前記弾性部６が、前記脚部５を構成する材料と同一の材料によって構成されているので、同一材料による一体成形を可能にして製造コストを低減するという効果を奏する。
【００４４】
さらに第１実施形態のマッサージ装置は、前記弾性部６が前記筒状の薄肉部６０によって構成されているので、該筒状の薄肉部６０が前記運動体および前記振動発生源による振動の前記床面１００への伝達を有効に絶縁して、前記マッサージ装置の移動を有効に阻止するという効果を奏する。
【００４５】
また第１実施形態のマッサージ装置は、前記筒状の薄肉部６０の内側壁に複数の軸方向に延在する溝６２を形成したので、前記筒状の薄肉部６０のダンピング特性をチューニングして前記運動体および前記振動発生源による振動の前記床面１００への伝達を一層有効に絶縁するという効果を奏する。
【００４６】
（第２実施形態）
本第２実施形態のマッサージ装置は、前記第１実施形態において前記脚部５の上端に設けた弾性部６を、図８および図９に示されるように前記脚部５の中間部に設けた点が相違点であり、以下相違点を中心に説明する。
【００４７】
本第２実施形態においては、図８および図９に示されるように前記脚部５を上下の２部材５１０、５２０に分割して、前記上部材５１０の下端に前記弾性部６を構成するバネ、ゴム、スポンジのような前記脚部を構成する材料に比べて充分柔らかい材料によって構成されるリング状の弾性部材６０２を挿置する円形凹部５１１が形成され、前記下部材５２０の上端に前記弾性部６を構成するバネ、ゴム、スポンジのようなリング状の弾性部材６０２を挿置する円形凹部５２１が形成されるとともに、図９に示されるように前記弾性部材６０２が一定量以上変形した時に前記上部材５１０の環状の下端周縁部５１２が当接する環状の凹部５２２が形成され、該上部材５１０の下端周縁部５１２と環状の凹部５２２とによってストッパ部が構成される。
【００４８】
上記構成より成る第２実施形態のマッサージ装置は、前記弾性部６が、前記脚部５の中間部に形成されているので、前記運動体および前記振動発生源による振動を前記脚部５の中間部において絶縁することが出来るという効果を奏する。
【００４９】
また第２実施形態のマッサージ装置は、前記弾性部６が、前記脚部５を構成する材料に比べて充分柔らかい材料によって構成されているので、材料の選択によって前記弾性部のダンピング特性をチューニングすることにより、前記運動体および前記振動発生源による振動の前記床面への伝達を有効に絶縁するという効果を奏する。
【００５０】
（第３実施形態）
本第２実施形態のマッサージ装置は、前記第１実施形態において前記脚部５の上端に設けた弾性部６を、図１０ないし図１２に示されるように前記脚部５の下端に設けた点が相違点であり、以下相違点を中心に説明する。
【００５１】
本第３実施形態においては、図１０に示されるように前記脚部５の下端の環状の凹部５３０に複数の薄肉の突起６０３を一定角度毎に一体的に突出形成するものである。
【００５２】
図１２に示されるように前記薄肉の突起６０３が一定量以上変形した時に前記脚部５の環状の下端周縁部５３１が床面１００に当接してストッパ部が構成される。
【００５３】
上記構成より成る第３実施形態のマッサージ装置は、前記弾性部６が、前記脚部５の下端に形成されているので、前記運動体および前記振動発生源による振動を前記脚部５の出力部において絶縁することが出来るという効果を奏する。
【００５４】
また第３実施形態のマッサージ装置は、前記脚部５に一定以上の荷重が作用して前記弾性部６０にその弾性変形範囲内の一定量以上の変形が生じたときに、図１２に示されるように前記脚部５の前記ストッパー部を構成する前記下端面５３１が、前記床面１００に当接して、前記弾性部６０のそれ以上の変形を阻止するので、前記弾性部６の寿命を向上するという効果を奏する。
【００５５】
さらに第３実施形態のマッサージ装置は、前記弾性部６が、前記脚部５を構成する材料と同一の材料によって構成されているので、同一材料による一体成形を可能にして製造コストの低減を可能にするという効果を奏する。
【００５６】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５７】
上述の第１実施形態においては、一例として前記脚部５の上端に弾性部６を一体的に形成する例について述べたが、本発明としてはそれらに限定されるものでは無く、例えばバネ、ゴム、スポンジのような別部材の弾性部材を前記脚部５の上端に介挿する実施形態も採用可能である。
【００５８】
また第２実施形態においては、一例として前記脚部５の中間部にバネ、ゴム、スポンジのような別部材の弾性部材を介挿する例について説明したが、本発明としてはそれらに限定されるものでは無く、例えば図１３に示されるように前記脚部５を上下の２部材５１０、５２０に分割して、その間に第１実施形態と同様の筒状の薄肉部６０４を一体的に形成する実施形態も採用可能である。
【００５９】
また第３実施形態においては、一例として前記脚部５の下端に弾性部６を一体的に形成する例について述べたが、本発明としてはそれらに限定されるものでは無く、例えば図１４に示されるようにバネ、ゴム、スポンジのような別部材の円形その他の弾性部材６０５を前記脚部５の下端と床面１００との間に介挿する実施形態も採用可能である。
【図面の簡単な説明】
【図１】本発明の第１実施形態のマッサージ装置の脚部を示す部分拡大断面図である。
【図２】本第１実施形態のマッサージ装置のストッパー部が当接した状態を示す部分拡大断面図である。
【図３】本第１実施形態のマッサージ装置を示す側面図である。
【図４】本第１実施形態のマッサージ装置を示す斜視図である。
【図５】本第１実施形態における脚部を示す斜視図、断面図および底面図である。
【図６】本第１実施形態のマッサージ装置における脚部の通常の荷重状態を説明するスケルトン図である。
【図７】本第１実施形態のマッサージ装置における脚部に一定以上の荷重が作用している状態を説明するスケルトン図である。
【図８】本発明の第２実施形態のマッサージ装置の脚部を示す部分拡大断面図である。
【図９】本第２実施形態のマッサージ装置の脚部に一定以上の荷重が作用している状態を示す部分拡大断面図である。
【図１０】本発明の第３実施形態のマッサージ装置の脚部を示す部分拡大断面図である。
【図１１】本第３実施形態のマッサージ装置の脚部を示す底面図である。
【図１２】本第３実施形態のマッサージ装置の脚部に一定以上の荷重が作用している状態を示す部分拡大断面図である。
【図１３】本発明の変形例のマッサージ装置の脚部を示す部分拡大断面図である。
【図１４】本発明のその他の変形例のマッサージ装置の脚部を示す部分拡大断面図である。
【符号の説明】
１  マッサージ装置
５  脚部
６  弾性部
１０  本体
１１  表面部
１２  裏面
１００  床面
【図１】
0003911353.tif 000002
【図２】
0003911353.tif 000003
【図３】
0003911353.tif 000004
【図４】
0003911353.tif 000005
【図５】
0003911353.tif 000006
【図６】
0003911353.tif 000007
【図７】
0003911353.tif 000008
【図８】
0003911353.tif 000009
【図９】
0003911353.tif 000010
【図１０】
0003911353.tif 000011
【図１１】
0003911353.tif 000012
【図１２】
0003911353.tif 000013
【図１３】
0003911353.tif 000014
【図１４】
0003911353.tif 000015